(57)【要約】  行動認知を利用するモノのインターネットシステムが開示される。本発明のシステムは、使用者の動作信号に応じて制御するＩｏＴデバイスに対する制御データをＡＰに伝送する。【選択図】図１
2019506028.tif 000002
【特許請求の範囲】
【請求項１】
複数のモノのインターネット（ＩｏＴ）デバイス；
使用者が体の所定部位に着用するものであって、使用者の動作信号に対応する行動データを伝送するウェアラブルデバイス；及び
前記行動データに対応して、前記複数のＩｏＴデバイス中少なくとも一つのＩｏＴデバイスを制御する制御データを伝送するサーバを含むことを特徴とする、ＩｏＴシステム。
【請求項２】
前記ウェアラブルデバイスは、
使用者の動作信号を感知するセンサ部；
前記動作信号に対応して前記行動データを決定する分析部；及び
前記動作信号に対応する前記行動データを保存する保存部を含むことを特徴とする、請求項１に記載のＩｏＴシステム。
【請求項３】
前記サーバは、前記の行動データに対応する前記制御データを予め保存することを特徴とする、請求項１に記載のＩｏＴシステム。
【請求項４】
複数のＩｏＴデバイス；
使用者が体の所定部位に着用するものであって、使用者の動作信号を感知して伝送するウェアラブルデバイス；及び
前記動作信号に対応して、前記複数のＩｏＴデバイス中少なくとも一つのＩｏＴデバイスを制御する制御データを伝送するサーバを含むことを特徴とする、ＩｏＴシステム。
【請求項５】
前記サーバは、
前記動作信号に対応して使用者の行動パターンを決定する分析部；及び
前記行動パターンに対応する前記制御データを保存する保存部を含むことを特徴とする、請求項４に記載のＩｏＴシステム。
【請求項６】
前記保存部は、前記動作信号に対応する使用者の行動パターンを保存することを特徴とする、請求項５に記載のＩｏＴシステム。
【請求項７】
前記分析部は、前記保存部に保存された行動パターンを分析して、使用者の動作信号に応じて使用者の行動パターンを決定することを特徴とする、請求項６に記載のＩｏＴシステム。
【請求項８】
複数のＩｏＴデバイス；
使用者が体の所定部位に着用するものであって、使用者の動作信号を感知して伝送するウェアラブルデバイス；
前記動作信号に対応する使用者の行動データを伝送する移動端末；及び
前記行動データに対応して、前記複数のＩｏＴデバイス中少なくとも一つのＩｏＴデバイスを制御する制御データを伝送するサーバを含むことを特徴とする、ＩｏＴシステム。
【請求項９】
前記移動端末は、
前記動作信号に対応して使用者の行動データを決定する分析部；及び
前記動作信号に対応する使用者の行動データを保存する保存部を含むことを特徴とする、請求項８に記載のＩｏＴシステム。
【請求項１０】
前記サーバは、前記行動データに対応する前記制御データを予め保存することを特徴とする、請求項７に記載のＩｏＴシステム。
【発明の詳細な説明】
【技術分野】
【０００１】
本発明は、使用者の行動を認知してモノを制御するモノのインターネットシステムに関する。
【背景技術】
【０００２】
一般に、インターネットは、互いに通信するために、標準インターネットプロトコルスイート（例えば、送信制御プロトコル（ｔｒａｎｓｍｉｓｓｉｏｎ  ｃｏｎｔｒｏｌ  ｐｒｏｔｏｃｏｌ，ＴＣＰ）及びインターネットプロトコル（ｉｎｔｅｒｎｅｔ  ｐｒｏｔｏｃｏｌ，ＩＰ）を使用する相互接続されたコンピュータ及びコンピュータネットワークのグローバルシステムである。
【０００３】
モノのインターネット（ｉｎｔｅｒｎｅｔ  ｏｆ  ｔｈｉｎｇｓ，ＩｏＴ）は、コンピュータ及びコンピュータネットワークでない日常のモノが、ＩｏＴ通信ネットワーク（例えば、アドホック(Ad hoc)システムまたはインターネット）を介して判読可能、認識可能、位置決定可能、アドレッシング可能及び制御可能であるとのアイディアに基づいている。すなわち、モノのインターネット（ＩｏＴ）は、存在するモノをインターネットに連結して人間とモノ、モノとモノとの間にいつどこでも互いに疎通することができるようにする新しい情報通信基盤である。
【０００４】
従来、スマートフォンやスマートパッドなどの移動端末またはパソコン（ＰＣ）のアプリケーションを介してモノのインターネット（ＩｏＴ）デバイスを制御した。例えば、使用者は、外部で移動端末のアプリケーションを活性化してボイラー温度を制御したり、ガスバルブを閉めたりまたは洗濯機の完了時間を設定したり、炊飯器の電源をつけるなど様々なモノのインターネット（ＩｏＴ）デバイスを制御した。
【０００５】
しかし、このような入力方式は、使用者が移動端末のアプリケーションを活性化する段階を伴わなければならないため、使用者が移動端末を活性化することを認知できない場合、このようなモノのインターネット（ＩｏＴ）デバイスの制御が難しい問題点がある。
【発明の概要】
【発明が解決しようとする課題】
【０００６】
本発明が解決しようとする技術的課題は、使用者の行動を自動で認知してモノのインターネット（ＩｏＴ）デバイスを制御して、使用者の行動に対するビックデータ分析を介してモノのインターネットデバイスを制御する、モノのインターネットシステムを提供することである。
【課題を解決するための手段】
【０００７】
前記のような技術的課題を解決するために、本発明の一実施形態のモノのインターネット（ＩｏＴ）システムは、複数のモノのインターネット（ＩｏＴ）デバイス；使用者が体の所定部位に着用するものであって、使用者の動作信号に対応する行動データを伝送するウェアラブルデバイス；及び前記の行動データに対応して、前記複数のＩｏＴデバイス中少なくとも一つのＩｏＴデバイスを制御する制御データを伝送するサーバを含むことができる。
【０００８】
本発明の一実施形態において、前記ウェアラブルデバイスは、使用者の動作信号を感知するセンサ部；前記動作信号に対応して前記行動データを決定する分析部；及び前記動作信号に対応する前記行動データを保存する保存部を含むことができる。
本発明の一実施形態において、前記サーバは、前記の行動データに対応する前記制御データを予め保存することができる。
【０００９】
また、前記のような技術的課題を解決するために、本発明の一実施形態のＩｏＴシステムは、複数のＩｏＴデバイス；使用者が体の所定部位に着用するものであって、使用者の動作信号を感知して伝送するウェアラブルデバイス；及び前記動作信号に対応して、前記複数のＩｏＴデバイス中少なくとも一つのＩｏＴデバイスを制御する制御データを伝送するサーバを含むことができる。
【００１０】
本発明の一実施形態において、前記サーバは、前記動作信号に対応して使用者の行動パターンを決定する分析部；及び前記行動パターンに対応する前記制御データを保存する保存部を含むことができる。
【００１１】
本発明の一実施形態において、前記保存部は、前記動作信号に対応する使用者の行動パターンを保存することができる。
【００１２】
本発明の一実施形態において、前記分析部は、前記保存部に保存された行動パターンを分析して、使用者の動作信号に応じて使用者の行動パターンを決定することができる。
【００１３】
また、前記のような技術的課題を解決するために、本発明の一実施形態のＩｏＴシステムは、複数のＩｏＴデバイス；使用者が体の所定部位に着用するものであって、使用者の動作信号を感知して伝送するウェアラブルデバイス；前記動作信号に対応する使用者の行動データを伝送する移動端末；及び前記の行動データに対応して、前記複数のＩｏＴデバイス中少なくとも一つのＩｏＴデバイスを制御する制御データを伝送するサーバを含むことができる。
【００１４】
本発明の一実施形態において、前記移動端末は、前記動作信号に対応して使用者の行動データを決定する分析部；及び前記動作信号に対応する使用者の行動データを保存する保存部を含むことができる。
【００１５】
本発明の一実施形態において、前記サーバは、前記の行動データに対応する前記制御データを予め保存することができる。
【発明の効果】
【００１６】
前記のような本発明は、使用者が端末をＩｏＴデバイスの制御データを入力する必要がなく、使用者の動作信号に対応するＩｏＴデバイスの制御データが自動で転送されるので、使用者の便宜性を向上する効果がある。
【図面の簡単な説明】
【００１７】
【図１】本発明の一実施形態のモノのインターネットシステムを概略的に説明するための構成図である。
【図２】本発明の一実施形態のウェアラブルデバイスを概略的に説明するための構成図である。
【図３】本発明の別の実施形態のウェアラブルデバイスを概略的に説明するための構成図である。
【図４】図３のウェアラブルデバイスに対応するＩｏＴサーバの構成を概略的に説明するための一例示図である。
【発明を実施するための形態】
【００１８】
本発明は、多様な変更を加えることができ、様々な実施形態を持つことができ、特定実施形態を図面に例示して詳細な説明に詳細に説明する。しかし、これは本発明を特定の実施形態に対して限定しようとするのではなく、本発明の思想及び技術範囲に含まれるすべての変更、均等物ないし代替物を含むものと理解されなければならない。
【００１９】
以下、添付図面を参照して本発明に係る好ましい一実施形態を詳細に説明する。
図１は、本発明の一実施形態のモノのインターネットシステムを概略的に説明するための構成図である。
図面に示したように、本発明の一実施形態のモノのインターネットシステムは、モノのインターネット（ＩｏＴ）サーバ１、使用者端末２、アクセスポイント（ａｃｃｅｓｓ  ｐｏｉｎｔ，ＡＰ）３及びモノのインターネット（ＩｏＴ）デバイス４を含むことができる。
【００２０】
ＩｏＴデバイス４は、ＡＰ３とエアーインターフェースを介して通信するように構成され、エアーインターフェースは、例えばＩＥＥＥ ８０２．１１のような無線インターネットプロトコルを遵守することができる。本発明の一実施形態においては、ＩｏＴデバイス４がエアーインターフェースを介してＡＰ３と通信するのを例示的に図示しているが、各ＩｏＴデバイス４は、有線または無線中いずれか一つまたは、両者を介して通信できるはずである。
【００２１】
ＩｏＴデバイス４は、エアコン４１、ボイラーの温度調節器４２、冷蔵庫４３、炊飯器４４及びＴＶ４５を含むことができる。但し、これは例示的なものであって、その他の宅内の種々のモノを含んでもよい。
【００２２】
図示しなかったが、インターネットは、複数のルーティングエージェント及びプロセッシングエージェントを含むことができる。インターネットは異質なデバイス/ネットワーク間通信するための標準インターネットプロトコルスイート（例えば、送信制御プロトコル（ＴＣＰ）及びインターネットプロトコル（ＩＰ））を使用する相互接続されたコンピュータ及びコンピュータネットワークのグローバルシステムである。ＴＣＰ／ＩＰは、データがフォーマッティング、アドレッシング、送信、ルーティング及び目的地で受信されなければならない方法を特定するエンドツーエンド接続性を提供することができる。
【００２３】
使用者端末２は、使用者の宅内に有線端末２１、移動端末２２及び使用者が所定部位に着用するウェアラブルデバイス２３を含むことができる。有線端末２１の一例としてデスクトップ形態のパソコン（ＰＣ）が図示されているが、これに限定されない。有線端末２１は、使用者端末２として含まれているが、ＩｏＴデバイス４に含まれることもできる。
【００２４】
移動端末２２は、使用者が携帯する端末であって、例えば、スマートフォンやスマートパッドの形態で具現されることができる。
【００２５】
また、ウェアラブルデバイス２３は、使用者が所定部位に着用するものであって、例えば時計のような形式として手首に着用するものであってもよい。
本発明でウェアラブルデバイス２３は、所定センサと通信部を含んで、使用者の行動を自動で認知してインターネットを介してＩｏＴサーバ１に伝送したりまたは移動端末２２で伝送したりすることもできる。ウェアラブルデバイス２３の詳細構成に対しては、後に図面を参照で説明する。すなわち、図１では、ウェアラブルデバイス２３がインターネットを介してＩｏＴサーバ１と通信するものと図示されているが、これに限定されず移動端末２２と通信をしてもよい。
【００２６】
ＡＰ３は、例えば、光通信システムモデム、ケーブルモデム、デジタル加入者線（ｄｉｇｉｔａｌ  ｓｕｂｓｃｒｉｂｅｒ  ｌｉｎｅ，ＤＳＬ）モデム等を介してインターネットに接続されることができる。ＡＰ３は、標準インターネットプロトコル（例えばＴＣＰ／ＩＰ）を使用してＩｏＴデバイス４及びインターネットと通信することもできる。
【００２７】
ＩｏＴサーバ１は、複数の構造的に別のサーバで具現されることができるか、または、単一サーバに対応することもできる。
【００２８】
以下、従来のＩｏＴシステムの動作を説明した後、本発明のシステムの動作を説明する。
従来、使用者が外部でボイラーの温度調節器４２を制御しようとした場合、移動端末２２のアプリケーションを駆動して、該当アプリケーションを介して温度を調節すると、ＩｏＴサーバ１に移動端末２２が該当データを伝送する。ＩｏＴサーバ１がこれに対応する制御データをインターネットを介してＡＰ３に伝送すると、ＡＰ３から制御データを受信した温度調節器４２が制御データによって制御される形式で動作する。または、移動端末２２でない有線端末２１によっても制御することができる。
すなわち、使用者は、ＩｏＴデバイス４を制御するために、有線端末２１または移動端末２３にデータを入力すると、ＩｏＴサーバ１が該当データに対応する制御データをインターネットを介してＡＰ３に伝送して、ＡＰ３から制御データを受信したＩｏＴデバイス４が該当制御データにより制御される。
【００２９】
このように、従来のＩｏＴシステムでは、使用者が有線端末２１または移動端末２３を利用してＩｏＴデバイス４を制御することができた。
【００３０】
本発明によると、有線端末２１または移動端末２２の介入なしに、使用者の行動によってＩｏＴデバイス４を制御することができる。
すなわち、ウェアラブルデバイス２３を着用している使用者の行動パターンを認知して、行動パターンに対応する所定の行動データをＩｏＴサーバ１に伝送すれば、該当行動に対応する制御データをＩｏＴサーバ１がインターネットを介してＡＰ３に伝送して、ＡＰ３から制御データを受信したＩｏＴデバイス４が該当制御データにより制御されることができる。この時、ウェアラブルデバイス２３により認知された行動データは、直接インターネットを介してＩｏＴサーバ１に転送されることもできれば、移動端末２２を介してＩｏＴサーバ１に転送されることもできる。
【００３１】
例えば、使用者が朝起きると、ウェアラブルデバイス２３は、使用者の行動と関連したデータをＩｏＴサーバ１に伝送して、ＩｏＴサーバ１は、使用者が起きたことを認知して炊飯器４４の電源をオンにしたり、エアコン４１を作動するようにしたりすることができる。
【００３２】
図２は、本発明の一実施形態のウェアラブルデバイスを概略的に説明するための構成図である。
図面に示したように、本発明の一実施形態のウェアラブルデバイス２３は、センサ部２３１、分析部２３２及び通信部２３３を含むことができる。
【００３３】
センサ部２３１は、使用者が動作中の腕（手首に着けた場合）の加速度、角速度及び使用者の心拍数を測定することができる。一例として、センサ部２３１は、腕の加速度を測定する加速度センサ２３１ａ、腕の回転慣性を感知して位置と方向を測定するジャイロセンサ２３１ｂ、及び使用者の心拍数を測定する脈拍センサ２３１ｃを含むことができる。
【００３４】
加速度センサ２３１ａは、直線運動に対する速度の増減比または加えられた衝撃の強さのような情報が提供できて、ジャイロセンサ２３１ｂは、単位時間に物体が回転した角速度を検出して体の回転動作、方向などの情報を提供することができる。
【００３５】
加速度センサ２３１ａとジャイロセンサ２３１ｂは、行われる様々な動作を区分するために、ｘ、ｙ、ｚ軸の加速度を測定する６軸センサ（３軸の加速度センサ及び３軸のジャイロセンサ）の形態で提供されることができる。
【００３６】
センサ部２３１で測定された使用者の体（腕）の回転、方向、加速度のデータと脈拍数は、分析部２３２に伝達することができる。以下、本明細書では、センサ部２３１が現在の使用者が行っている動作を測定したデータを「動作信号」という。すなわち、本発明で、動作信号は、使用者の体の加速度、角速度及び使用者の心拍数に関するデータを含むことができる。
【００３７】
分析部２３２は、センサ部２３１で測定された動作信号から使用者の行動を判断することができる。例えば、分析部２３２は、使用者が睡眠状態で動きが認知される場合、使用者が起きたと判断することができる。このような使用者の動作信号に対応する行動のパターンは保存部２３４に保存されることができる。
【００３８】
通信部２３３は、分析部２３２が判断した使用者の行動データをインターネットを介してＩｏＴサーバ１に伝送できる。
【００３９】
使用者の行動データを受信したＩｏＴサーバ１は、該当行動データに対応してＩｏＴデバイス４中いずれか一つ以上を制御するための制御データをインターネットを介してＡＰ３に伝送することができ、ＡＰ３を介して制御データを受信したＩｏＴデバイス４中いずれか一つは、該当制御データによって制御できる。
【００４０】
すなわち、例えば、センサ部２３１が認知した動作信号によって、分析部２３２が使用者が起きたと判断した場合、ＩｏＴサーバ１は、炊飯器４４とエアコン４１を制御するための制御データをＡＰ３に伝送することができ、炊飯器４４とエアコン４１が該当制御データによって各々オンにできる。
【００４１】
または、例えば、センサ部２３１が認知した動作信号によって、分析部２３２が使用者が退勤すると判断することもできる。すなわち、使用者が机に座って勤務した後、退勤のために公共交通を利用しようと移動する場合、分析部２３２はこのような動作信号によって使用者が退勤すると認知することができる。この場合、分析部２３２から使用者の行動が「退勤」であることを受信したＩｏＴサーバ１は家の温度を上げるための制御データをＡＰ３に伝送することができ、温度調節器４２が該当制御データによって室内温度を調節することができる。
【００４２】
または、例えば、センサ部２３１が認知した動作信号によって、分析部２３２が使用者が退勤時に危険な状態に陥ったと判断することができる。すなわち、使用者が平穏に正常な速度で動いて、突然走るなどの場合、分析部２３２は、該当動作信号から使用者が危険に陥ったのを認知することができる。この場合、分析部２３２から使用者が「危険」に陥ったのを受信したＩｏＴサーバ１は有線端末２１を介して（この場合、有線端末２１はＩｏＴデバイス４に該当する）近所警察署に連絡するように制御データをＡＰ３に伝送することでき、有線端末２１は、該当制御データによって近くの警察署にメッセージを伝送することができる。
【００４３】
但し、前記で説明したことは例示的なものあって、本発明がこのような例に限定されず、様々な方式で使用者の動作信号から行動を認知して、ＩｏＴデバイス４を制御できる。
【００４４】
前記例では、ウェアラブルデバイス２３が使用者の行動を認知する場合を、例を挙げて説明したが、ウェアラブルデバイス２３は、使用者の動作信号をＩｏＴサーバ１に伝送して、このような動作信号を受信したＩｏＴサーバ１が使用者の行動を認知することもできる。
【００４５】
図３は、本発明の別の実施形態のウェアラブルデバイスを概略的に説明するための構成図である。
図面に示したように、本発明の別の実施形態のウェアラブルデバイス２３は、センサ部２３１と通信部２３３を含むことができる。
【００４６】
センサ部２３１は、使用者が動作中の腕（手首に着けた場合）の加速度、角速度及び使用者の心拍数を測定することができる。一例として、センサ部２３１は、腕の加速度を測定する加速度センサ２３１ａ、腕の回転慣性を感知して位置と方向を測定するジャイロセンサ２３１ｂ、及び使用者の心拍数を測定する脈拍センサ２３１ｃを含むことができる。
【００４７】
加速度センサ２３１ａは直線運動に対する速度の増減比または加えられた衝撃の強さのような情報が提供できて、ジャイロセンサ２３１ｂは、単位時間に物体が回転した角速度を検出して体の回転動作、方向などの情報を提供することができる。
加速度センサ２３１ａとジャイロセンサ２３１ｂは、行われる様々な動作を区分するために、ｘ、ｙ、ｚ軸の加速度を測定する６軸センサ（３軸の加速度センサ及び３軸のジャイロセンサ）の形態で提供されることができる。
【００４８】
センサ部２３１で測定された使用者の体（腕）の回転、方向、加速度のデータと脈拍数を含む動作信号は、通信部２３３がインターネットを介してＩｏＴサーバ１で提供することができる。
【００４９】
使用者の動作信号を受信したＩｏＴサーバ１は、使用者の動作信号から使用者の行動を判断して、この行動に対応してＩｏＴデバイス４中いずれか一つ以上を制御するための制御データを、インターネットを介してＡＰ３に伝送することができ、ＡＰ３を介して制御データを受信したＩｏＴデバイス４中いずれか一つは、該当制御データによって制御される。
【００５０】
図４は、図３のウェアラブルデバイスに対応するＩｏＴサーバの構成を概略的に説明するための一例示図である。
図面に示したように、本発明の一実施形態のＩｏＴサーバ１は、使用者の動作信号から行動を判断する分析部１２と、動作信号に対応する行動パターン及び行動パターンに対応するＩｏＴデバイス４に対する制御データを保存するための保存部１３及びインターネットを介してデータを送受信するための通信部１１を含むことができる。
【００５１】
前記で説明した例を再び挙げると、センサ部２３１が認知した動作信号が、通信部１１を介して受信されると、分析部１２は、該当動作信号によって使用者が起きたと判断して、分析部１２は炊飯器４４とエアコン４１を制御するための制御データをＡＰ３に伝送することができ、炊飯器４４とエアコン４１が、該当制御データによって各々オンにできる。
【００５２】
または、例えば、センサ部２３１が認知した動作信号が受信されれば、分析部１２は該当動作信号によって使用者が退勤すると判断することもできる。すなわち、使用者が机に座って勤務した後、退勤のために公共交通を利用しようと移動する場合、分析部１２は、このような動作信号によって使用者が退勤すると判断して、該当行動パターンに対応して家の温度を上げるための制御データをＡＰ３に伝送することができ、温度調節器４２が該当制御データによって室内温度を調節することができる。
【００５３】
または、例えば、センサ部２３１が認知した動作信号が受信されると、分析部１２は、使用者が退勤時危険な状態に陥ったと判断することができる。すなわち、使用者が平穏に正常な速度で動いて、突然走るなどの動作信号を受信した場合、分析部１２は、該当動作信号から使用者が危険に陥ったのを判断して、該当の行動パターンに対応する有線端末２１を制御するための制御データをＡＰ３に伝送することができる。ＡＰ３を介して該当制御データを受信した有線端末２１は、該当制御データによって近くの警察署にメッセージを伝送できる。
【００５４】
一方、分析部１２は、センサ部２３１から受信される動作信号に対応する行動データと、これに対応する使用者の次の行動をデータベース化して、これを保存部１３に保存することができる。このように保存される多量のデータ（ビッグデータ，ｂｉｇ  ｄａｔａ）を分析して、分析部１２は、使用者の動作信号に対応する行動データにより、一連の手続きを進めることができる。
【００５５】
例えば、使用者の動作信号に対応する行動データから、使用者の心理状態を決めてこれを予め決まった相手方の移動端末に知らせるメッセージを伝送することができる。すなわち、例えば、使用者の動作信号に対応する行動データから、使用者が鬱であると決定された場合、予め決まった相手方の移動端末に、「使用者の心理状態が鬱である」ことを知らせるメッセージを伝送することができる。
【００５６】
または、使用者の動作信号に対応する行動データから、使用者の次の行動を予測して、これに該当する制御データを予め決まったモノのインターネットデバイス４のいずれか一つに伝送することができる。例えば、使用者の行動データから、使用者がシャワーをすると分析部１２が決めた場合（これは、決まった時間になれば、使用者が常に定刻にシャワーをするために立ち上がるのをデータで保存することによって成り立つ）、分析部１２は、温度調節器４２を制御して温度を調節することができる。
【００５７】
一方、前記の実施形態においては、ウェアラブルデバイス２３が直接行動パターンを判断してＩｏＴサーバ１に伝送したり、ウェアラブルデバイス２３の動作信号からＩｏＴサーバ１が行動パターンを判断するのを例として挙げて説明したが、ウェアラブルデバイス２３の動作信号を使用者の移動端末２２が受信して使用者の行動パターンを判断して、これをＩｏＴサーバ１に伝送することもできる。
【００５８】
この場合、図３の通信部２３３は、インターネットを介して動作信号をＩｏＴサーバ１に伝送する代わりに所定通信方式によって移動端末２２に動作信号を伝送できて、移動端末２２は、該当動作信号から行動パターンを決めてこれをＩｏＴサーバ１に伝送することができる。
【００５９】
使用者の行動パターンに対応するＩｏＴデバイス４を制御するための制御データは、予め使用者が有線端末２１または移動端末２２を介してＩｏＴサーバ１に提供することができる。例えば、使用者が起きる行動パターンに対応して、ＴＶ４５をオンにしたりエアコン４１をつけたりする制御データが保存されることができて、使用者の出勤または退勤する行動パターンに対応して温度調節器４２の温度を各々制御する制御データが保存されることもでき、または、図面に図示されなかったが、使用者が起きる行動パターンに対応して、コヒーマシーンをオンにする制御データが保存されることもでき、使用者が退勤する行動パターンに対応してロボット掃除機をオンにする制御データが保存されることもできる。
【００６０】
本明細書では混用したが、「行動パターン」とは、動作信号によって決定される使用者の行動を示して、「行動データ」とは、各構成要素間通信されるデータを意味して、行動データは行動パターンを含む。
【００６１】
このように、本発明のＩｏＴシステムでは、ウェアラブルデバイス２３のセンサ部２３１から使用者の動作信号が検知されると、使用者の動作信号に該当する行動パターンが決定されて、該当の行動パターンに対応する制御データによってＩｏＴデバイスを制御することができる。
【００６２】
すなわち、本発明によると、使用者が有線端末２１または移動端末２２を介してＩｏＴデバイスの制御データを入力する必要がなく、使用者の動作信号に対応するＩｏＴデバイスの制御データが転送されるため、使用者の便宜性を向上することができる。
【００６３】
以上、本発明に係る実施形態が説明されたが、これは例示的なものに過ぎず、当分野で通常の知識を有する者ならこれらから様々な変形及び均等な範囲の実施形態が可能である点が理解できるであろう。したがって、本発明の真の技術的保護範囲は、次の特許請求範囲によって定まらなければならない。
【図１】
2019506028.tif 000003
【図２】
2019506028.tif 000004
【図３】
2019506028.tif 000005
【図４】
2019506028.tif 000006
【国際調査報告】
2019506028.tif 000007
2019506028.tif 000008
2019506028.tif 000009
2019506028.tif 000010